(57)【要約】      （修正有）【課題】ポンプスプレー等の蓄圧式スプレーを用いながら、ＶＯＣ規制に適合し、香料などの揮発性活性成分を安定して空気中に噴霧できるスプレー製剤及びこれに適した噴霧型用組成物を提供する。【解決手段】（Ａ）グリコールエーテル５〜１６.５質量％、（Ｂ）ポリグリコール４４〜５５質量％、（Ｃ）揮発性活性成分５〜１０質量％、（Ｄ）界面活性剤０.５〜１質量％及び（Ｅ）水２２〜３０質量％を含有する蓄圧式スプレー用組成物及びこれを蓄圧式スプレー容器に充填したスプレー製剤による。【選択図】なし【特許請求の範囲】
【請求項１】
次の成分、（Ａ）〜（Ｄ）
（Ａ）  一般式（Ｉ）
【化１】
2020081036.tif 000008
（式中、Ｒ１及びＲ５は低級アルキル基を、Ｒ２は低級アルキル基又は水素原子
を、Ｒ３はヒドロキシ基又は水素原子を、Ｒ４は低級アルキル基または低級ヒ
ドロキシアルキル基を示す）
で表されるグリコールエーテル                        ５質量％〜１６.５質量％
（Ｂ）一般式（II）
【化２】
2020081036.tif 000009
（式中、Ｌ１及びＬ２は同一または異なって、エチレン基又は分岐しても良いプ
ロピレン基、ブチレン基を示し、ｎは、１〜４の数を意味する）
で表されるポリグリコール                          ４４質量％〜５５質量％
（Ｃ）揮発性活性成分                            ５質量％〜１０質量％
（Ｄ）界面活性剤                                ０.５質量％〜１質量％
および
（Ｅ） 水                                    １７.５質量％〜３０質量％
を含有してなる蓄圧式スプレー用組成物。
【請求項２】
前記成分（Ａ）のグリコールエーテルが、３−メトキシ−１−ブタノール、１−メトキシ−２−ブタノール、１−メトキシ−２−プロパノール、３−メトキシ−３−メチルブタノール及び３−メトキシ−３−メチル−ブチルアセテートの１種若しくは２種以上である請求項１に記載の蓄圧式スプレー用組成物。
【請求項３】
前記成分（Ｂ）のポリグリコールが、ジエチレングリコール、ジプロピレングリコール、ジブチレングリコール、トリエチレングリコール、トリプロピレングリコール及びテトラエチレングリコールの１種若しくは２種以上である請求項１または２に記載の蓄圧式スプレー用組成物。
【請求項４】
前記成分（Ｃ）の揮発性活性成分が、消臭成分、香料、防虫成分、殺虫成分または防カビ成分または害虫忌避成分である請求項１ないし３の何れかに記載の蓄圧式スプレー用組成物。
【請求項５】
前記成分（Ｄ）の界面活性剤が、ノニオン系界面活性剤である請求項１ないし４の何れかに記載の蓄圧式スプレー用組成物。
【請求項６】
前記成分（Ｄ）の界面活性剤が、ポリオキシエチレンモノラウレートである請求項１ないし５の何れかに記載の蓄圧式スプレー用組成物。
【請求項７】
請求項１ないし６のいずれかの項記載の蓄圧式スプレー用組成物を、蓄圧式スプレー容器に充填してなるスプレー製剤。
【請求項８】
前記蓄圧式スプレー容器が、ポンプスプレー容器またはトリガースプレー容器である請求項７記載のスプレー製剤。
【請求項９】
充填された蓄圧式スプレー用組成物の揮発性活性成分が、消臭成分または香料であり、前記スプレー容器が、ポンプスプレー容器であり、携帯に適した形状、大きさである請求項７または８記載のスプレー製剤。
【発明の詳細な説明】
【技術分野】
【０００１】
本発明は、ポンプスプレー、トリガースプレー等のスプレーに用いる蓄圧式スプレー用組成物に関し、詳しくは、揮発性有機化合物規制の問題が生じることなく、かつ良好なスプレー状態が得られる蓄圧式スプレー用組成物及びこれを利用したスプレー製剤に関する。
【背景技術】
【０００２】
空気中に芳香を付与したり、悪臭を消臭するために、香料や消臭成分を噴霧する様々な噴霧型の芳香剤が提案されている。また、室内害虫等を殺虫、忌避するために、防虫成分、殺虫成分を噴霧する噴霧型の防虫剤も提案されている。このような噴霧型製剤では、有効成分を適切に溶解、懸濁し、良好な噴霧状態を得るために、種々の溶媒や活性剤等も配合されている。
【０００３】
ところで、このような噴霧型製剤では、製剤としての機能を発揮することと並んで、使用成分が、揮発性有機化合物（Volatile Organic Compounds、以下、「ＶＯＣ」と略記することがある）を含有する製品に関する規則に適合することが重要である。このＶＯＣ化合物とは、標準圧力で沸点が約２６０℃までの有機化合物を意味する。
【０００４】
このＶＯＣに関し、様々な国で規制が存在し、その代表的な規制として、例えば、米国カリフォルニア州における一般消費者製品規則（第２項）（規則）が挙げられるが、この規制では、販売又は製造時に指定限界を超えてＶＯＣを含有する消費者製品の販売、供給、販売の申込み、又は製造を禁止している。
【０００５】
そこで、このようなＶＯＣ規制に対応するための製品がいくつか提案されている。例えば、特許文献１には、（ａ）所定量のアルキレングリコール、（ｂ）所定量の、少なくとも特定のＨＬＢを持つものを含む界面活性剤、（ｃ）所定量の、特定圧力となる圧縮ガス噴射剤、（ｄ）所定量の緩衝系、 （ｅ）所定量の芳香剤および（ｆ）残部の水を含み、ＶＯＣを組成物中５.０％未満で、低分子量の１価アルコールを含まず、芳香剤が（ｉ）界面活性剤、（ii）アルキレングリコール、又は（iii）これら両者によって可溶化され、組成物のｐＨが約４から約８であるエアゾール臭気処理水性組成物組成物が開示されている。
【０００６】
また、特許文献２には、特定量の界面活性剤と、特定量の活性剤と、特定量の圧縮ガス噴射剤及び水性キャリアを含む溶媒和活性剤が、これに含有される圧縮ガスによって加圧された水系組成物であって、この組成物の総重量に対し、活性剤に対する界面活性剤の重量比が約１：３〜５：１である組成物が開示されている。
【０００７】
しかし、これらはいずれもＬＰガスやＤＭＥなどの液化ガスを用いるスプレーのための組成物であり、ガスを用いないポンプスプレーにこの組成物を適用すると、噴霧された組成物の粒子が大きくなってしまうという問題がある。
【０００８】
また、液化ガスを用いるスプレーでは、容器の構造が複雑になり、さらに、揮発性有機化合物規制に対応できる組成物を作成してもガス自体を空間に放出するため、ガスを使わない状態と比較し、使用環境にとって好ましくないという問題点も有している。
【先行技術文献】
【特許文献】
【０００９】
【特許文献１】特表２０１３―５２９９７１号公報
【特許文献２】特表２０１１−５２２９５３号公報
【発明の概要】
【発明が解決しようとする課題】
【００１０】
本発明は、上記事情に鑑みてなされたものであり、液化ガスを使用せず、ポンプスプレー、トリガースプレー等の蓄圧式スプレーを用いながら、ＶＯＣ規制に適合した組成で、消臭成分、香料、防虫成分、殺虫成分などの揮発性活性成分を安定して空気中に噴霧できる噴霧型用組成物の提供を課題とする。
【課題を解決するための手段】
【００１１】
本発明者らは、上記問題点の生じないスプレー組成物について鋭意研究を行った結果、特定のグリコールエーテル、特定のポリグリコール、揮発性活性成分及び界面活性剤を特定の割合で含有してなる組成物は、これを蓄圧式スプレー容器で噴霧することにより、スプレー組成物の上記問題点を解決できることを見出し、本発明に至った。
【００１２】
すなわち、本発明は次の成分、（Ａ）〜（Ｄ）
（Ａ）  一般式（Ｉ）
【化１】
2020081036.tif 000002
（式中、Ｒ１及びＲ５は低級アルキル基を、Ｒ２は低級アルキル基又は水素原子
を、Ｒ３はヒドロキシ基又は水素原子を、Ｒ４は低級アルキル基または低級ヒ
ドロキシアルキル基を示す）
で表されるグリコールエーテル                        ５質量％〜１６.５質量％
（Ｂ）一般式（II）
【化２】
2020081036.tif 000003
（式中、Ｌ１及びＬ２は同一または異なって、エチレン基又は分岐しても良い
プロピレン基、ブチレン基を示し、ｎは、１〜４の数を意味する）
で表されるポリグリコール                            ４４質量％〜５５質量％
（Ｃ）揮発性活性成分                              ５質量％〜１０質量％
（Ｄ）界面活性剤                                 ０.５質量％〜１質量％
および
（Ｅ）水                                     １７.５質量％〜３０質量％
を含有してなる蓄圧式スプレー用組成物を提供するものである。
【００１３】
また本発明は、上記蓄圧式スプレー用組成物を、蓄圧式スプレー容器に充填してなるスプレー製剤である。
【発明の効果】
【００１４】
本発明の蓄圧用スプレー組成物は、ＶＯＣ規制に適合しながら、液化ガスを使用しない蓄圧式スプレーによっても、香料、殺虫成分などの揮発性活性成分を安定して空気中に噴霧できるものである。
【００１５】
そして、上記組成物を蓄圧式スプレー容器に充填したスプレー製剤によれば、液化ガスを使わず経済的に、空気中あるいは環境中に揮発性活性成分を適切に噴霧することができる。
【発明を実施するための形態】
【００１６】
本発明において、蓄圧式スプレーとは、ポンプスプレー、トリガースプレー、圧縮空気によるスプレーなどの、噴霧剤（液化ガス）を用いない散布を意味し、蓄圧式スプレー用組成物とは、この散布に用いられる組成物を意味する。
【００１７】
本発明の蓄圧式スプレー組成物（以下、単に「本発明組成物」と略称することがある）は、前記成分（Ａ）から（Ｄ）を含有するものである。
【００１８】
このうち成分（Ａ）は、下式（Ｉ）で表されるグリコールエーテルである。
【化３】
2020081036.tif 000004
（式中、Ｒ１及びＲ５は低級アルキル基を、Ｒ２は低級アルキル基又は水素原子
を、Ｒ３はヒドロキシ基又は水素原子を、Ｒ４は低級アルキル基または低級ヒ
ドロキシアルキル基を示す）
【００１９】
上記の式（Ｉ）の各基において、低級アルキル基とは炭素数が１〜５のアルキル基をいい、低級ヒドロキシアルキル基とは、炭素数が１〜５で、少なくとも1以上のヒドロキシ基を有するヒドロキシアルキル基をいう。
【００２０】
このグリコールエーテル（Ｉ）としては、具体的に、３−メトキシ−１−ブタノール、１−メトキシ−２−ブタノール、１−メトキシ−２−プロパノール、３−メトキシ−３−メチル−１−ブタノール、３−メトキシ−３−メチル−ブチルアセテートなどを挙げることができる。これらのうち、油性の揮発性活性成分の分散性を高めるという点で、３−メトキシ−３−メチル−１−ブタノールが好適に用いられる。
【００２１】
また、本発明組成物に配合される成分（Ｂ）は下式（II）で表されるポリグリコールである。
【化４】
2020081036.tif 000005
（式中、Ｌ１及びＬ２は同一または異なって、エチレン基又は分岐しても良い
プロピレン基、ブチレン基を示し、ｎは、１〜４の数を意味する）
【００２２】
このポリグリコール（II）としては、具体的に、ジエチレングリコール、ジプロピレングリコール、ジブチレングリコール、トリエチレングリコール、トリプロピレングリコール、テトラエチレングリコールなどを挙げることができる。これらのうち、グリコールエーテル（成分（Ａ））および後記揮発性活性成分（成分（Ｃ））との相溶性の点で、ジプロピレングリコールが好適に用いられる。
【００２３】
さらに、本発明の組成物に用いられる成分（Ｃ）揮発性活性成分としては、常温で揮発性を有し、環境空間において、所定の効果を奏する薬剤であり、例えば、消臭成分、香料、防虫成分、殺虫成分、防カビ成分、害虫忌避成分等が挙げられる。これらは、本発明組成物の利用分野、要求性能に応じて、単独であるいは二種以上併せて用いることができる。
【００２４】
このうち、消臭成分としては、天然精油由来の消臭成分を主成分とする揮発消臭性香料  エアリーデオ・フラグランス（AiryDeo（登録商標） Fragrance；高砂香料工業株式会社製）や安定化二酸化塩素等が挙げられる。
【００２５】
香料の例としては、例えば、麝香、霊猫香、竜延香等の動物性香料、アビエス油、アクジョン油、アルモンド油、アンゲリカルート油、ページル油、ベルガモット油、パーチ油、ボアバローズ油、カヤブチ油、ガナンガ油、カプシカム油、キャラウェー油、カルダモン油、カシア油、セロリー油、シナモン油、シトロネラ油、コニャック油、コリアンダー油、クミン油、樟脳油、ジル油、エストゴラン油、ユーカリ油、フェンネル油、ガーリック油、ジンジャー油、グレープフルーツ油、ホップ油、レモン油、レモングラス油、ナツメグ油、マンダリン油、ハッカ油、オレンジ油、セージ油、スターアニス油、テレピン油等の植物性香料を挙げることができる。
【００２６】
また、これらの天然香料に限らず、合成香料又は抽出香料等の人工香料を用いることもでき、例えば、ピネン、リモネン等の炭化水素系香料、リナロール、ゲラニオール、シトロネロール、メントール、ボルネオール、ベンジルアルコール、アニスアルコール、βフェネチルアルコール等のアルコール系香料、アネトール、オイゲノール等のフェノール系香料、ｎ−ブチルアルデヒド、イソブチルアルデヒド、ヘキシルアルデヒド、シトラール、シトロネラール、ベンズアルデヒド、シンナミックアルデヒド等のアルデヒド系香料、カルボン、メントン、樟脳、アセトフェノン、イオノン等のケトン系香料、γ―ブチルラクトン、クマリン、シネオール等のラクトン系香料、オクチルアセテート、ベンジルアセテート、シンナミルアセテート、プロピオン酸ブチル、安息香酸メチル等のエステル系香料等が挙げられる。さらに、上記香料の２種以上を混合した調合香料も使用することができる。
【００２７】
また、防虫成分、殺虫成分としては、エンペントリン、トランスフルスリン、アレスリン、フェノトリン、エミネンス、プロフルトリン等のピレスロイド系防虫・殺虫成分、パラジクロロベンゼン、ナフタリン、樟脳、２−フェノキシエタノール等が例示でき、これらの１種又は２種以上を混合して用いることができる。
【００２８】
抗菌防カビ成分としては、特に他の必須成分に影響を与えにくい点で有機化合物系が望ましく、さらにｐＨの値からは中性から弱酸性のものが望ましい。具体的には、Ｎ−（フルオロジクロロメチルチオ）−フタルイミド、Ｎ−ジクロロフルオロメチルチオ−Ｎ',Ｎ'−ジメチル−Ｎ−フェニルスルファミド、２−イソプロピル−５−メチルフェノール、パラクロロメタキシレノール、バラクロロメタクレゾール、ヒノキチオール、ヒバ油、アリルイソチオシアネート、オイゲノール、バニリン、イソボルネオール、サリチルアルデヒド等が好ましく、これらの１種又は２種以上を混合して用いることができる。
【００２９】
また、害虫忌避成分としては、Ｎ，Ｎ−ジエチル−ｍ−トルアミド（ＤＥＥＴ）やピカリジン（Picarigin）等が例示でき、これらを単独もしくは混合して用いることができる。
【００３０】
更にまた、本発明組成物の成分（Ｄ）として、界面活性剤が使用される。この成分（Ｄ）は、（Ａ）〜（Ｃ）成分を水に可溶させられるものであれば、特に限定されないが、好ましくはＨＬＢ値が１０以上のノニオン系界面活性剤が好ましい。ＨＬＢ値が１０以上のノニオン系界面活性剤としては特にその種類によらず使用することができる。
【００３１】
具体的な成分（Ｄ）の例としては、ポリオキシエチレンラウリルエーテル、ポリオキシエチレンセチルエーテル、ポリオキシエチレンステアリルエーテル、ポリオキシエチレンオレイルエーテルなどのポリオキシエチレンアルキルエーテルや、ポリエチレングリコールモノラウレート、ポリエチレングリコールモノステアレート、ポリエチレングリコールモノオレート、ポリエチレングリコールジステアレート、ポリオキシエチレン効果ヒマシ油などのポリエチレングリコール脂肪酸エステル、ポリオキシエチレンソルビタンモノラウレート、ポリオキシエチレンソルビタンモノパルミテート、ポリオキシエチレンソルビタンモノステアレート、ポリオキシエチレンソルビタントリステアレート、ポリオキシエチレンソルビタンモノオレエート、ポリオキシエチレンソルビタントリオレエートなどのポリオキシエチレンソルビタン脂肪酸エステル等が挙げられる。
【００３２】
このうち、安全性が比較的高いこと、水にも溶剤にもある程度溶けること、本発明組成物を混合する際に混合しやすいこと、混合の作業性を向上させる常温で液体であること等に鑑み、好ましいものとして、ポリオキシエチレンラウリルエーテルやポリオキシエチレンオレイルエーテル、ポリエチレングリコールモノラウレートやポリエチレングリコールモノオレート、ポリオキシエチレンソルビタンモノラウレートやポリオキシエチレンソルビタンモノパルミテート、ポリオキシエチレンソルビタンモノステアレートやポリオキシエチレンソルビタンモノオレエート等が挙げられ、さらに好ましいものとして、ポリオキシエチレンラウリルエーテル、ポリエチレングリコールモノラウレート、ポリオキシエチレンソルビタンモノラウレートが挙げられる。
【００３３】
また更に、本発明組成物の成分（Ｅ）として、水が使用されるが、この水としては特に制約はなく、水道水、脱イオン水、蒸留水等を利用することができる。
【００３４】
本発明組成物の調製は、常法に従い、上記した成分（Ａ）ないし（Ｄ）を、必要に応じて溶媒、更には他の任意成分と混合、均一化し、製剤とすることにより行われる。
【００３５】
本発明組成物の製造にあたっての各成分の配合量は、以下のとおりである。すなわち、成分（Ａ）の配合量は、全組成中、５〜１６.５質量％（以下、「％」と略称する）、好ましくは１０〜１５％である。成分（Ａ）の配合量が１６.５％以上では、ＶＯＣ規制の対象組成物となってしまい、また、５％以下では、成分（Ｃ）の溶解状態が悪くなることがある。
【００３６】
また、成分（Ｂ）の配合量は、全組成中、４４〜５５％、好ましくは４９〜５４％である。５５％以上では、組成物全体の粘度が上がってしまうため、スプレー容器を用いて噴霧した際に芳香組成物を霧の状態にすることが難しくなる場合がある。一方、４５％以下ではＶＯＣ規制の対象組成物となってしまう。
【００３７】
更に、成分（Ｃ）の配合量は、配合する揮発性活性成分に求められる作用効果の程度に応じて決めることができる。例えば、配合する揮発性活性成分が消臭剤や香料の場合、一般には組成物全体の５〜１０％が好ましく、７〜１０％がより好ましい。成分（Ｃ）の配合量が１０％配合しても消臭効果の大きな差が見られず、５％より少ないと十分な消臭効果が発現しにくくなる場合がある。
【００３８】
また、配合する揮発性活性成分が防虫成分や、忌避成分の場合、一般には組成物全体の５〜１０％が好ましく、７〜１０％がより好ましい。成分（Ｃ）の配合量が１０％配合しても防虫効果や忌避効果の大きな差が見られず、５％より少ないと十分な防虫効果や忌避効果が発現しにくくなる場合がある。
【００３９】
また更に、成分（Ｄ）の配合量は、全組成中、０.１〜１０％程度、好ましくは０.５〜１％である。１０％以上では、蓄圧式のポンプスプレーやトリガースプレーを用いて噴霧した際に、液が大きな粒子となって室内の壁、床、その他部分に飛び散り、べたつきが生じてしまうことがあり、これが皮膚等に付着すると不快に感じることがある。また、蓄圧式ポンプスプレー等のノズルの詰まり等の問題を生じることがある。
【００４０】
更にまた、成分（Ｅ）の水の配合量は、全組成中、１７.５〜３０％、好ましくは、２０〜３０％である。
【００４１】
本発明組成物の調製においては、上記した各必須成分の他、必要に応じ、本発明の効果を損なわない範囲で溶媒やその他の任意成分を用いることができる。
【００４２】
このような溶媒の例としては、例えば、メタノール、エタノール、イソプロパノール、イソブタノール、ｓｅｃ−ブタノール、ｔｅｒｔ−ブタノール、メチルセロソルブ、エチルセロソルブ、グリセリン等のアルコール類；エチレングリコールジメチルエーテル、１，４−ジオキサン、テトラヒドロフラン等のエーテル類；アセトン、メチルエチルケトン等のケトン類；Ｎ，Ｎ−ジメチルホルムアミド、Ｎ，Ｎ−ジメチルアセトアミド等のアミド類、ジメチルスルホキサイド等が挙げられる。これらは単独であるいは二種以上併せて用いることができる。
【００４３】
また、その他の任意成分の例としては、増粘剤、色素、紫外線吸収剤、酸化防止剤、酸・アルカリ等の消臭成分、消泡剤、乳化剤等が挙げられる。
【００４４】
以上のようにして得られる本発明組成物は、蓄圧式スプレー容器、例えば、蓄圧式のポンプスプレー、トリガースプレー、圧縮空気によるスプレーなどの容器に充填し、スプレー製剤として使用することができる。特にポンプスプレー容器に充填とすることが好ましい。
【００４５】
このスプレー製剤としては、台所やトイレの家庭用消臭剤、部屋などの消臭・芳香剤、携帯型の消臭芳香剤、台所・室内での防虫殺虫剤、皮膚などの害虫忌避剤等として利用できる。
【００４６】
本発明のスプレー製剤の好ましい一態様としては、充填された蓄圧式スプレー用組成物の揮発性活性成分が、消臭成分または香料であり、スプレー容器が、ポンプスプレー容器であり、その外形が、携帯に適した形状、大きさ、例えば、長さ５〜７ｃｍ程度、直径１.５〜２.０ｃｍ程度の円柱状であるものを挙げることができる。このものであれば、常に携帯し、外出先のトイレやその他の場所で使用することが可能である。
【００４７】
かくして得られるスプレー製剤は、充填された本発明組成物自体が、ＶＯＣ規制に適合するものであり、しかも、香料、殺虫成分などの揮発性活性成分を均一なこまかい霧として安定して空気中に噴霧できるものであるため、圧縮ガスを使わず経済的に、空気中あるいは環境中に揮発性活性成分を散布することが可能である。
【実施例】
【００４８】
次に、実施例及び比較例により本発明を更に詳細に説明する。なお、本発明はこれらの実施例に何ら限定されるものではない。
【００４９】
実  施  例  １
下記表１の処方にて各成分を混合し、液体の芳香組成物を調製した。得られた各芳香組成物をそれぞれ容量１０ｍｌのポンプスプレー容器に入れ、本発明品および比較品の芳香製剤を作成した。得られた各芳香製剤についてＶＯＣ規制への該当性、ポンプスプレーの押しやすさ評価、消臭程度、噴霧後のべたつきについて試験を行った。この結果を後記表２に示す。
【００５０】
【表１】
2020081036.tif 000006
【００５１】
＜  ポンプの押しやすさ評価  ＞
８名の消費者モニターに各芳香組成物を入れた芳香製剤（ポンプスプレイヤー）を１０回噴霧してもらい、ポンプの押しやすさについて下記基準で評価してもらった。この結果のうち、最も多くの回答のものを状態として評価した。
【００５２】
（  評価基準  ）
状  態                     
ポンプが問題なく押せる      〇
ポンプが少し押しにくい      △
ポンプがとても押しにくい    ×
【００５３】
＜ＶＯＣ規制への対応＞
米国カリフォルニア州における一般消費者製品規則（第２項）（規則）における指定限界（ＶＯＣ該当物質として１８ｗｔ％）を超えてＶＯＣを含有するものは×、含有しないものは〇とした。
【００５４】
＜消臭試験＞
（  悪臭試料の調製  ）
トイレで発生する悪臭の代表例としてアンモニアと硫化水素について感覚的消臭試験を実施した。まず、コック付き１０Ｌのエアバッグ内にアンモニア及び硫化水素発生源を入れクリップで密封し、一定時間放置したものを悪臭試料とし、下記試験方法で試験を行った。
【００５５】
（  試験方法  ）
活性炭とシリカゲルでろ過した無臭空気で満たした１０Ｌのテドラーバッグを用意した。このテドラーバッグ中に、上記悪臭試料の調整で作成した悪臭を、ガラス製臭気補集用注射器を用いて抜き取り、臭気強度が下記臭気強度にて４.００程度、快・不快度にて−３程度になるように注入した。
【００５６】
この中に本発明品及び比較品の芳香製剤を１回噴霧し、１５分置いたあとに、各テドラーバック中の臭気について、８名のパネラーにより、下記基準により臭気強度および快・不快度にて評価した。この評価結果から、悪臭のみの場合と本発明品及び比較品の結果を数値化し、８名のパネラーの平均値を算出して、悪臭のみの数値（ブランク）と本発明品及び比較品の数値を比較し、差の点数がプラス方向に０〜１点となったものは×、１〜２点となったものは〇として、効果を判定した。
【００５７】
（  評価基準  ）
臭気強度；
においの程度               点  数
無      臭                  ０点
やっと感知できる臭い        １点
何のニオイであるか
わかる弱いにおい        ２点
らくに感知できるにおい      ３点
強いにおい                  ４点
強烈なにおい                ５点
【００５８】
快・不快度；
状  態         点  数
極めて快い        ４点
非常に快い        ３点
快    い          ２点
やや快い          １点
どちらでもない    ０点
やや不快        −１点
不    快        −２点
非常に不快      −３点
極めて不快      −４点
【００５９】
＜噴霧後のべたつき＞
８名の消費者モニターに、本発明品及び比較品の芳香製剤を渡し、自宅のトイレで床面からの高さ１ｍで１０回噴霧してもらった。噴霧1分後の床面のべたつきについて下記基準で評価してもらい、この結果のうち、最も多くの回答のものを状態として評価した。
【００６０】
（  評価基準  ）
状  態                 評  価
床面が濡れていない          〇
床面が濡れた状態である      △
床面がべたべたである        ×
【００６１】
【表２】
2020081036.tif 000007
【００６２】
以上の結果より、本発明はいずれの評価項目においても良好な結果が得られた。これに対し、比較品１は噴霧のしやすさの点で、比較品２及び３はＶＯＣ規制への対応の点で、比較品４は噴霧後のべたつきの点でそれぞれ満足のいくものではなかった。
【産業上の利用可能性】
【００６３】
本発明の蓄圧スプレー用組成物は、ＶＯＣ規制に適合するものであり、しかも圧縮ガスを使用しない噴霧器を用いて香料、殺虫成分などの揮発性活性成分を、こまかい霧として安定化された状態で空気中に噴霧できるものである。
【００６４】
従って、このスプレー用組成物を充填したスプレー製剤は、安全で経済的なものとして、芳香剤、消臭剤、防虫剤、殺虫剤、忌避剤等のトイレタリー分野において広く利用し得るものである。